(57)【要約】【課題】短時間に敷居を所望の設置位置に支持することのできるエレベータの敷居支持治具を得ることを目的とする。【解決手段】エレベータの敷居支持治具１０Ａは、建築床７Ａに打ち込まれるアンカーボルト１１と、アンカーボルト１１に長穴１３ａを嵌め、第１連結片１４Ａを調整ボルト挿通片１３の上方に延在させて配置されるＬ字状の第１取付金１２Ａと、調整ボルト挿通片１３に螺合され、調整ボルト挿通片１３の傾きを調整するジャッキボルト１９と、アンカーボルト１１に螺合される押圧ナット２０と、第１連結片１４Ａの切り欠き凹穴１４ａ及び長穴１４ｂの長さ方向に移動可能に第１連結片１４Ａに取り付けられ、敷居５Ａを敷居支持片１６に支持するＬ字状の第２取付金１５と、ボルト挿通穴１７ａと切り欠き凹穴１４ａまたは長穴１４ｂに挿通される角根頭ボルト２６及び角根頭ボルト２６に螺合される連結片締着ナット２７と、を備える。【選択図】図３
2011105486.tif 000002
【特許請求の範囲】
【請求項１】
乗場の建築床に設置されて敷居を所望の設置位置に支持するエレベータの敷居支持治具であって、
上記建築床に垂直方向に軸方向を一致させて打ち込まれる取付金挿通ボルトと、
調整ボルト挿通片及び第１連結片からなるＬ字状をなし、奥行き調整用長穴が、穴の長手方向を上記調整ボルト挿通片の先端から上記第１連結片に向かう方向に一致させて上記調整ボルト挿通片に形成され、高さ調整用長穴が、穴の長手方向を上記第１連結片の先端から上記調整ボルト挿通片に向かう方向に一致させて上記第１連結片に形成されており、上記建築床に打ち込まれた上記取付金挿通ボルトに上記奥行き調整用長穴を嵌めて、上記調整ボルト挿通片を上記建築床上に位置させ、上記第１連結片を昇降路側に向けて上記調整ボルト挿通片の上方に延在させて配置される第１取付金と、
それぞれ、上記調整ボルト挿通片からの突出量を調整可能に上記調整ボルト挿通片に螺合され、上記建築床上に配置された上記調整ボルト挿通片の傾きを調整する複数の調整ボルトと、
上記取付金挿通ボルトに螺合されて、上記調整ボルトと協働して上記調整ボルト挿通片を上記建築床に固定する押圧ナットと、
敷居支持片及びボルト挿通穴が形成された第２連結片からなるＬ字状をなし、上記第２連結片が、上記ボルト挿通穴を上記高さ調整用長穴に対応させて上記第１連結片に相対するように、かつ、上記敷居支持片を上記第１連結片と逆側に向けて配置されて上記高さ調整用長穴の長さ方向に移動可能に上記第１連結片に取り付けられ、上記敷居を上記敷居支持片に支持する第２取付金と、
上記ボルト挿通穴と上記高さ調整用長穴に挿通される連結ボルト、及び上記連結ボルトに螺合され、上記第１連結片に上記第２連結片を締着固定する連結片締着ナットと、
上記敷居支持片に上記敷居を固定する固定手段と、
を備えることを特徴とするエレベータの敷居支持治具。
【請求項２】
上記高さ調整用長穴は、上記第１連結片の先端に開口する切り欠き凹穴であることを特徴とする請求項１記載のエレベータの敷居支持治具。
【請求項３】
上記請求項１または請求項２記載のエレベータの敷居支持治具を用いた敷居の設置方法であって、
複数の上記取付金挿通ボルトを上記建築床に乗場開口の間口方向に互いに離間させて打ち込む工程と、
上記調整ボルトを上記調整ボルト挿通片に螺合し、上記第１連結片を上記調整ボルト挿通片の上方に延在するようにして昇降路側に向け、上記奥行き調整用長穴を上記取付金挿通ボルトのそれぞれに嵌め、上記取付金挿通ボルトのそれぞれに押圧ナットを締めて、複数の上記第１取付金を上記建築床に設置する工程と、
上記ボルト挿通穴を上記高さ調整用長穴に対応させて上記第２連結片を上記第１連結片のそれぞれに相対させ、上記敷居支持片を第１連結片と逆側に向けて上記第２取付金を配置し、上記ボルト挿通穴及び上記高さ調整用長穴に上記連結ボルトを挿通させ、上記連結ボルトに上記連結片締着ナットを螺合して上記第２取付金を上記第１取付金に取り付ける工程と、
上記敷居を上記敷居支持片に支持させる工程と、
上記調整ボルト挿通片からの上記調整ボルトの突出量を調整して上記敷居の上面が水平になるように上記調整ボルト挿通片１３の傾きを調整する工程と、
上記第１取付金の上記乗場開口の間口方向に垂直かつ水平な奥行き方向の位置、及び上記取付金挿通ボルト周りの位置を調整して、上記敷居を所望の奥行方向の位置で間口方向に平行に配置し、上記押圧ナットを締めつけて、上記第１取付金を上記建築床に固定する工程と、
上記敷居支持片に対する上記敷居の長手方向の取り付け位置を移動させて上記敷居の上記乗場開口の間口方向の位置を調整し、上記敷居を上記敷居支持片に固定手段を用いて固定する工程と、
上記第２連結片を上記高さ調整用長穴の長手方向に移動させて上記敷居の高さ位置を調整し、上記第１連結片に上記第２連結片を上記連結ボルト及び上記連結片締着ナットを用いて固定する工程と、
を備えることを特徴とするエレベータの敷居の設置方法。
【発明の詳細な説明】
【技術分野】
【０００１】
この発明は、エレベータの乗場に敷居を設置する際、所望の設置位置に敷居を支持するエレベータの敷居支持治具、及びそれを用いたエレベータの敷居の設置方法に関する。
【背景技術】
【０００２】
一般的に、エレベータの乗場には、昇降路に開口する乗場出入口の下部に乗場出入口の間口方向に延設される敷居が設けられている（例えば、特許文献１参照）。
【先行技術文献】
【特許文献】
【０００３】
【特許文献１】特開平１０−３１０３５４号公報
【発明の概要】
【発明が解決しようとする課題】
【０００４】
特許文献１には具体的には記載されていないが、一般的に、エレベータの乗場の床は、建築床面をモルタルで覆い、さらにモルタルをタイルなどの床仕上げ材で覆うなどして構成されている。このときの床仕上げ材の上面を床仕上げ面とする。
そして、敷居は、その上面の高さ位置を床仕上げ面の高さ位置に一致させ、乗場の床の端部に隣接する位置に設けられる。
【０００５】
以下、従来の敷居の設置方法について説明する。
図１３は従来の第１敷居支持治具により敷居が所望の設置位置に支持されたエレベータの乗場まわりを昇降路側から見た斜視図、図１４は図１３のＸＩＶ−ＸＩＶ矢視断面図、図１５は従来の第１敷居支持治具を構成する第１及び第２取付金の上面図であり、（ａ）図に第１取付金を示し、（ｂ）図に第２取付金を示している。
【０００６】
図１３及び図１４において、エレベータの乗場３の建築壁９には、昇降路２に開口し、乗場出入口を構成するための乗場開口３ａが形成されている。また、建築床７Ａは、乗場開口３ａの間口方向に垂直な断面において、昇降路２側の端部の床面を低く構成した低床部７ａを有している。
【０００７】
次いで、従来の第１敷居支持治具、及び敷居本固定具の構成について説明する。
図１３及び図１４に示されるように、従来の第１敷居支持治具５０Ａは、低床部７ａに打ち込まれるアンカーボルト５１と、アンカーボルト５１が挿通される第１取付金５２Ａと、第１取付金５２Ａに螺合されて低床部７ａの上面からの第１取付金５２Ａの高さ位置を調整可能に第１取付金５２Ａを支持するジャッキボルト５４と、アンカーボルト５１に螺合され、ジャッキボルト５４と協働して第１取付金５２Ａを建築床７Ａ，７Ｂに固定する押圧ナット６０と、第１取付金５２Ａに連結される第２取付金５３Ａと、第１取付金５２Ａと第２取付金５３Ａとを連結固定する連結ボルト５５と、第２取付金５３Ａに敷居５Ａを固定する固定手段５７Ａと、を備える。
【０００８】
第１取付金５２Ａは、図１５に示されるように、矩形平板形状に形成され、長穴５２ａが、その長手方向（長軸方向）を第１取付金５２Ａの長手方向に一致させて、第１取付金５２Ａの長手方向の中心の一端側に形成されている。
また、第１取付金５２Ａには、ねじ穴５２ｂが、長穴５２ａの長手方向の一端近傍、かつ幅方向（短軸方向）の一側に形成され、ねじ穴５２ｃが、長穴５２ａの長手方向の他端近傍、かつ幅方向の他側に形成されている。
また、３つのねじ穴５２ｄが、第１取付金５２Ａの長手方向の中心の他端側に、第１取付金５２Ａの長手方向に互いに離間して形成されている。
【０００９】
また、第２取付金５３Ａは、矩形平板形状に形成され、長穴５３ａが、その長手方向を第２取付金５３Ａの長手方向に一致させて、第２取付金５３Ａの長手方向の一端側に形成されている。また、貫通穴５３ｂが、第２取付金５３Ａの長手方向の他端側に形成されている。
【００１０】
また、固定手段５７Ａは、図１４に示されるように、敷居取付ボルト５８ａ及び敷居取付ナット５９により構成されている。
【００１１】
また、敷居５Ａは、その上面に開口し、長手方向の全域に亘って延在する敷居溝５ａを有する長尺体に形成される。さらに、敷居５Ａには、上面に平行な下面に開口し、上面に向かってステップ状に幅広となる断面形状の敷居固定用穴５ｂが、長手方向全域に形成されている。
【００１２】
また、敷居本固定具６１のそれぞれは、図１３に示されるように、敷居固定金６２、及び敷居本固定ボルト（図示せず）、本固定アンカーボルト（図示せず）、及び一対の本固定ナット（図示せず）により構成される。
敷居固定金６２は、互いに直交する一片及び他片からなる断面Ｌ字状の支持部６３を有する。支持部６３の一片には、貫通穴６３ａが形成されている。また、支持部６３の他片には、穴の長手方向を一片に垂直な方向とする長穴６３ｂが、その長手方向に互いに離間して形成されている。
【００１３】
次いで、一対の従来の第１敷居支持治具５０Ａを用いて敷居５Ａを所望の設置位置に支持する作業について説明する。
【００１４】
まず、アンカーボルト５１を乗場開口３ａの間口方向の中心の一側に位置する低床部７ａの所定部位に打ち込む。
ジャッキボルト５４を第１取付金５２Ａのねじ穴５２ｂ，５２ｃに螺合させ、ねじ穴５２ｂ，５２ｃから突出させたジャッキボルト５４の先端を低床部７ａに向けて長穴５２ａにアンカーボルト５１を嵌め込み、ジャッキボルト５４の先端を低床部７ａの上面に当接させる。また、第１取付金５２Ａの長手方向の他端側が、低床部７ａから昇降路２側に延出されるように、第１取付金の長手方向（長穴５２ａの長手方向）を奥行き方向に一致させる。なお、奥行き方向は、乗場開口３ａの間口方向に垂直かつ水平な方向とする。
【００１５】
次いで、押圧ナット６０を、第１取付金５２Ａを押しつけるように締め込む。これより、一方の第１取付金５２Ａが、低床部７ａ上に支持される。
同様にして、他方の第１取付金５２Ａを、乗場開口３ａの間口方向の中心に対して一方の第１取付金５２Ａと対称となるように低床部７ａ上に支持する。
【００１６】
次いで、敷居取付ボルト５８ａの頭部を敷居固定用穴５ｂの一端に嵌め、敷居取付ボルト５８ａを、敷居固定用穴５ｂに沿ってスライド移動させて敷居５Ａに取り付ける。さらに、第２取付金５３Ａの貫通穴５３ｂに、敷居取付ボルト５８ａの軸部を挿通させ、敷居取付ナット５９を軸部に螺合する。
以上により、一方の第２取付金５３Ａが敷居５Ａに取り付けられる。このとき、敷居取付ナット５９は、締め込まれておらず、第２取付金５３Ａは、敷居固定用穴５ｂに沿ってスライド移動可能となっている。
同様にして、他方の第２取付金５３Ａを敷居５Ａに取り付ける。
【００１７】
次いで、敷居５Ａの敷居溝５ａの溝幅方向の一側に、一対の第２取付金５３Ａのそれぞれの一端側が敷居５Ａから延出されるように、第２取付金５３Ａの向きを調整し、第２取付金５３Ａを第１取付金５２Ａに対応する位置までスライド移動させる。さらに、第１取付金５２Ａの他端側の上方に第２取付金５３Ａの一端側を配置する。次いで、連結ボルト５５を第２取付金５３Ａの長穴５３ａに挿入して第１取付金５２Ａのねじ穴５２ｄの一つにねじ込む。これにより、一方の第２取付金５２Ａを第１取付金５２Ａに締着固定する。なお、所望する敷居５Ａの奥行方向の設置位置に応じて、３つのねじ穴５２ｄのうちの適当なねじ穴５２ｄに連結ボルト５５を螺合させる。
同様にして、他方の第２取付金５３Ａを第１取付金５２Ａに締着固定する。
【００１８】
次いで、一対の敷居取付ナット５９のそれぞれを締め込んで、一対の敷居取付ボルト５８ａの頭部と一対の敷居取付ナット５９の間に敷居５Ａの下部と第２取付金５３Ａを挟み込み、第２取付金５３Ａと敷居５Ａとの間を固定する。
【００１９】
次いで、必要に応じて押圧ナット６０を緩め、敷居５Ａの上面の高さ位置が、図１４の二点鎖線により示される床仕上げ面に一致する方向に、４つのジャッキボルト５４の第１取付金５２Ａからの突出量を調整した後、押圧ナット６０を締め込んで、第１取付金５２Ａを固定する。そして、現在の敷居５Ａの上面が、床仕上げ面と同じ高さ位置で水平に配置されていることを確認し、敷居５Ａの上面の高さ位置が床仕上げ面の高さ位からずれている場合には、再度ジャッキボルト５４の第１取付金５２Ａからの突出量を調整する。
【００２０】
ここで、床仕上げ面と、敷居５Ａの上面とを同じ高さ位置に配置させるには、一対の第１取付金５２Ａを、所定の高さに水平度を保って配置させる必要があるが、４つのジャッキボルト５４の第１取付金５２Ａからの突出量を一度に調整して、一対の第１取付金５２Ａを、水平度を保ちつつ所定の高さに揃えるのは難しい。このため、４つのジャッキボルト５４の第１取付金５２Ａからの突出量を少しずつ調整しながら、敷居５Ａの上面が床仕上げ面と同じ高さとなるように第１取付金５２Ａを所定の高さ位置に移動させることになる。従って、敷居５Ａを所望の設置位置に支持させる作業は長時間を要する。
敷居５Ａの上面を床仕上げ面に一致させたら押圧ナット６０を本締めする。
【００２１】
さらに、一対の敷居取付ナット５９、及び一対の連結ボルト５５を僅かに緩め、敷居５Ａを乗場開口３ａの間口方向に平行に配置し、一対の敷居取付ナット５９を締め込んで、敷居５Ａを第２取付金５３Ａに固定する。
次いで、第２取付金５３Ａを長穴５３ａに沿って奥行き方向にスライド移動させて敷居５Ａを所望する奥行き方向の位置に配置し、一対の連結ボルト５５を締め付込んで、第１取付金５２Ａに第２取付金５３Ａを固定する。
【００２２】
次いで、一対の敷居取付ナット５９を僅かに緩め、敷居５Ａを乗場開口３ａの間口方向にスライド移動させて敷居５Ａを所望する間口方向の位置に配置し、一対の敷居取付ナット５９を締め付込んで、敷居５Ａと第２取付金５３Ａとの間を強力に固定する。
以上により、敷居５Ａが所望の設置位置に支持される。
【００２３】
次いで、敷居本固定具６１を用いて敷居５Ａを鉛直方向に延在する建築壁９に固定する作業について説明する。
まず、敷居固定用穴５ｂの一端に、敷居本固定ボルトの頭部を嵌めてスライド移動させ、敷居５Ａに敷居本固定ボルトを取り付ける。
【００２４】
次いで、乗場開口３ａの間口方向に関して一方の敷居支持治具５０Ａの一側、かつ敷居５Ａの下方の建築壁９の所定部位に、一対の本固定アンカーボルトを高さ方向に距離だけ離間させ、かつ、奥行き方向に軸方向を一致させて打ち込む。このとき、支持部６３の一片を敷居５Ａの下面に押しあて、他片を下方に延在させたときに、他辺の長穴６３ｂの長手中心の高さ位置が、おおよそ本固定アンカーボルトの軸心の高さ位置に来るように本固定アンカーボルトを打ち込む。
【００２５】
次いで、支持部６３の一片を上方に向けて、他片の一対の長穴６３ｂを一対の本固定アンカーボルトに嵌め込み、本固定ナットを本固定アンカーボルトの一端側に螺合させる。次いで、敷居本固定ボルトを、本固定アンカーボルトの上方にスライド移動させた後、敷居固定用穴５ｂから延出される敷居本固定ボルトの軸部に支持部６３の一片の貫通穴６３ａを挿通させる。さらに、敷居本固定ナットを敷居本固定ボルトの軸部に締め付けて、敷居固定金６２を敷居５Ａに固定する。
【００２６】
さらに、本固定アンカーボルトの他端側に他方の本固定ナットを螺合し、支持部６３の他片を一対の本固定ナットで挟持固定する。
このように、一方の敷居本固定具６１により、敷居５Ａの一側を建築壁９に対して固定する。
同様にして、他方の敷居本固定具６１により敷居５Ａの他側を建築壁９に固定する。
【００２７】
次いで、アンカーボルト５１、ジャッキボルト５４、連結ボルト５５、及び第１及び第２取付金５２Ａ，５３Ａを取り外す。第２取付金５３Ａを取り外すのに一旦取り外した敷居取付ナット５９は、第２取付金５３Ａを取り外した後、再度敷居取付ボルト５８ａに締め着つけておく。
次いで、図示しないモルタルと床仕上げ材で建築床７Ａを覆って乗場３の床を構成する。
【００２８】
以上の説明は、ジャッキボルト５４が当接される建築床７Ａの上面と床仕上げ面との間の距離が大きく、第２取付金５３Ａの上部に支持させて敷居５Ａを固定する場合について説明した。
しかし、第２取付金５３Ａの上部に敷居５Ａを固定した場合、ジャッキボルト５４が当接される建築床の上面と床仕上げ面との間の距離が小さいと、敷居５Ａの上面を床仕上げ面に一致させることができなくなる。このような場合には、従来の第２敷居支持治具を用いて敷居を所望の設置位置に固定する。
【００２９】
以下、従来の第２敷居支持治具を用いた敷居の設置方法について説明する。
図１６は従来の第２敷居支持治具を用いて敷居を所望の設置に支持した状態を示す乗場開口周辺の縦断面図、図１７は従来の第２敷居支持治具を構成する第１及び第２取付金の上面図であり、（ａ）図に第１取付金を示し、（ｂ）図に第２取付金を示している。
なお、図１６及び図１７において、図１３〜図１５と同一または相当部分には同一符号を付し、その説明は省略する。
【００３０】
図１６において、建築床７Ｂは、昇降路２側の端部側も他の床面の部位と同じ高さに構成されている。
また、従来の第２敷居支持治具５０Ｂは、第１及び第２取付金５２Ａ，５３Ａに代え、第１及び第２取付金５２Ｂ，５３Ｂを用い、固定手段５７Ａに代え、固定手段５７Ｂを用いている他は、従来の第１敷居支持治具５０Ａと同様に構成されている。
【００３１】
図１７において、第１取付金５２Ｂは、ねじ穴５２ｄに代え、長穴５２ｅが、その長手方向を第１取付金５２Ｂの長手方向に一致させて形成されている他は、第１取付金５２Ａと同様に構成されている。また、第２取付金５３Ｂは、長穴５３ａに代え、ねじ穴５３ｃが、長手方向の一端側に形成されている他は、第２取付金５３Ａと同様に構成されている。
【００３２】
また、固定手段５７Ｂは、図１６に示されるように、敷居取付ボルト５８ｂ及び敷居取付ナット５９により構成されている。
【００３３】
また、敷居５Ｂには、敷居取付穴５ｃが、敷居溝５ａの底部の長手中心の一側及び他側のそれぞれの所定部位と敷居５Ｂの下面とを連通するように形成されている。
【００３４】
以下、一対の従来の第１敷居支持治具５０Ｂを用いて敷居５Ｂを所望の設置位置に支持する作業について説明する。
一対の第１取付金５２Ｂを、第１取付金５２Ａを低床部７ａに支持させたのと同様にして、建築床７Ｂの昇降路２側の部位に支持させる。
【００３５】
次いで、第２取付金５３Ｂの一面側から挿入した敷居取付ボルト５８ｂの軸部を、敷居溝５ａの開口側から敷居取付穴５ｃに挿通させる。さらに、敷居取付ナット５９を軸部に締め付ける。これにより、一方の第２取付金５３Ｂが敷居５Ｂの上面に取り付けられる。
同様にして、他方の第２取付金５３Ｂを敷居５Ｂの上面に取り付ける。
【００３６】
次いで、第２取付金５３Ｂの一面を上方に向け、さらに、敷居５Ｂの敷居溝５ａの溝幅方向の一側に、一対の第２取付金５３Ｂのそれぞれの一端側が敷居５Ｂから延出されるように、第２取付金５３Ｂの向きを調整し、第２取付金５３Ｂを第１取付金５２Ｂに対応する位置までスライド移動させる。
次いで、第２取付金５３Ｂの一端側を第１取付金５２Ｂの他端側の下方に配置する。次いで、連結ボルト５５を第１取付金５２Ｂの長穴５２ｅに挿通させて第２取付金５３Ｂのねじ穴５３ｃにねじ込む。これにより、第２取付金５３Ｂを第１取付金５２Ｂに締着固定する。
同様にして、他方の第２取付金５３Ｂを他方の第１取付金５２Ｂに締着固定する。
【００３７】
次いで、一対の敷居取付ナット５９を締め込んで、一対の敷居取付ボルト５８ｂの頭部と一対の敷居取付ナット５９との間に敷居５Ｂの敷居溝５ａの下部と第２取付金５３Ｂを挟み、第２取付金５３Ｂに敷居５Ｂを固定する。
【００３８】
そして、敷居５Ａについて行った場合と同様にして、敷居５Ｂの上面を床仕上げ面と同じ高さに配置させる。このため、従来の第２敷居支持治具５０Ｂを用いて敷居５Ｂを所望の設置位置に支持する作業も長時間を要する。
【００３９】
以下、敷居５Ａを従来の第１敷居支持治具５０Ａにより低床部７ａに支持させた後の作業と同様にして乗場３の床を構成する。
【００４０】
以上のように、従来の第１敷居支持治具５０Ａ、及び第２敷居支持治具５０Ｂを用いて敷居５Ａ，５Ｂを所望の設置位置に支持する場合、敷居５Ａ，５Ｂを所望の設置位置に配置するまでに長時間を要するという問題がある。
【００４１】
この発明は上記の課題を解決するためになされたものであり、短時間に敷居を所望の設置位置に支持することのできるエレベータの敷居支持治具、及びそれを用いたエレベータの敷居の設置方法を得ることを目的とする。
【課題を解決するための手段】
【００４２】
この発明は、乗場の建築床に設置されて敷居を所望の位置に支持するエレベータの敷居支持治具であって、建築床に垂直方向に軸方向を一致させて打ち込まれる取付金挿通ボルトと、調整ボルト挿通片及び第１連結片からなるＬ字状をなし、奥行き調整用長穴が、穴の長手方向を調整ボルト挿通片の先端から第１連結片に向かう方向に一致させて調整ボルト挿通片に形成され、高さ調整用長穴が、穴の長手方向を第１連結片の先端から調整ボルト挿通片に向かう方向に一致させて第１連結片に形成されており、建築床に打ち込まれたアンカーボルトに奥行き調整用長穴を嵌めて、調整ボルト挿通片を建築床上に位置させ、第１連結片を昇降路側に向けて調整ボルト挿通片の上方に延在させて配置される第１取付金と、それぞれ、調整ボルト挿通片からの突出量を調整可能に調整ボルト挿通片に螺合され、建築床上に配置された調整ボルト挿通片の傾きを調整する複数の調整ボルトと、アンカーボルトに螺合されて、調整ボルトと協働して調整ボルト挿通片を建築床に固定する押圧ナットと、敷居支持片及びボルト挿通穴が形成された第２連結片からなるＬ字状をなし、第２連結片が、ボルト挿通穴を高さ調整用長穴に対応させて第１連結片に相対するように、かつ、敷居支持片を第１連結片と逆側に向けて配置されて高さ調整用長穴の長さ方向に移動可能に第１連結片に取り付けられ、敷居を敷居支持片に支持する第２取付金と、ボルト挿通穴と高さ調整用長穴に挿通される連結ボルト、及び連結ボルトに螺合され、第１連結片に第２連結片を締着固定する連結片締着ナットと、敷居支持片に敷居を固定する固定手段と、を備えている。
【発明の効果】
【００４３】
この発明に係るエレベータの敷居支持治具によれば、建築床上に固定された調整ボルト挿通片から上方に延在し、かつ昇降路側に向けられた第１連結片に対し、高さ調整用長穴の長手方向に移動可能に、第２取付金を取り付けている。これにより、調整ボルトは、敷居の上面の水平出し、言い換えれば、調整ボルト挿通片の傾き調整を行うために用い、敷居の高さ位置の調整は、調整ボルトを用いず、第２取付金を高さ調整用長穴の長手方向に移動するだけで行うことができる。従って、敷居の高さ位置を調整する作業効率が格段に向上し、短時間に敷居を所望の設置位置に支持することができる。
【図面の簡単な説明】
【００４４】
【図１】エレベータが設置される建造物の模式図である。
【図２】この発明の一実施の形態に係るエレベータの敷居支持治具により敷居が所望の設置位置に支持されたエレベータの乗場まわりを昇降路側から見た斜視図である。
【図３】図２のＩＩＩ−ＩＩＩ矢視断面図である。
【図４】図３のＡ方向から見た正面図である。
【図５】図４をＢ方向から見た要部上面図である。
【図６】この発明の一実施の形態に係る一方のエレベータの敷居支持治具を構成する第１及び第２取付金の正面図である。
【図７】この発明の一実施の形態に係る一方のエレベータの敷居支持治具を構成する第１及び第２取付金の上面図である。
【図８】この発明の一実施の形態に係る他方のエレベータの敷居支持治具を構成する第１取付金の正面図である。
【図９】この発明の一実施の形態に係る敷居本固定具の構成を説明する図である。
【図１０】この発明の一実施の形態に係る敷居本固定具の敷居への取り付け作業を説明する側面図である。
【図１１】この発明の一実施の形態に係る敷居本固定具の敷居への取り付け作業を説明する正面図である。
【図１２】この発明の一実施の形態に係るエレベータの敷居支持治具を用いた敷居の他の設置例を説明する断面図である。
【図１３】従来の第１敷居支持治具により敷居が所望の設置位置に支持されたエレベータの乗場まわりを昇降路側から見た斜視図である。
【図１４】図１３のＸＩＶ−ＸＩＶ矢視断面図である。
【図１５】従来の第１敷居支持治具を構成する第１及び第２取付金の上面図である。
【図１６】従来の第２敷居支持治具を用いて敷居を所望の設置に支持した状態を示す乗場開口周辺の縦断面図である。
【図１７】従来の第２敷居支持治具を構成する第１及び第２取付金の上面図である。
【発明を実施するための形態】
【００４５】
以下、この発明を実施するための最良の形態について、図面を参照して説明する。
【００４６】
図１はエレベータが設置される建造物の模式図、図２はこの発明の一実施の形態に係るエレベータの敷居支持治具により敷居が所望の設置位置に支持されたエレベータの乗場まわりを昇降路側から見た斜視図、図３は図２のＩＩＩ−ＩＩＩ矢視断面図、図４は図３のＡ方向から見た正面図、図５は図４のＢ方向から見た要部上面図、図６はこの発明の一実施の形態に係る一方のエレベータの敷居支持治具を構成する第１及び第２取付金の正面図であり、（ａ）図に第１取付金を図示し、（ｂ）図に第２取付金を図示している。図７はこの発明の一実施の形態に係る一方のエレベータの敷居支持治具を構成する第１及び第２取付金の上面図であり、（ａ）図に第１取付金を図示し、（ｂ）図に第２取付金を図示している。図８はこの発明の一実施の形態に係る他方のエレベータの敷居支持治具を構成する第１取付金の正面図、図９はこの発明の一実施の形態に係る敷居本固定具の構成を説明する図、図１０はこの発明の一実施の形態に係る敷居本固定具の敷居への取り付け作業を説明する側面図、図１１はこの発明の一実施の形態に係る敷居本固定具の敷居への取り付け作業を説明する正面図である。
なお、図１〜図１１において、上記従来技術と同一または相当部分には同一符号を付し、その説明は省略する。また、図３及び図５では、説明の便宜上、敷居本固定具の図示を省略している。
【００４７】
図１において、エレベータが設置される建造物１には、鉛直方向に延在する昇降路２が形成されている。また、各階の乗場３には、昇降路２に開口する乗場開口３ａが鉛直方向に延在する建築壁９に形成されている。また、建築床７Ａは、乗場開口３ａの間口方向に垂直な断面において、昇降路２側の端部の床面を低く構成した低床部７ａを有している。
【００４８】
以下、敷居の設置方法について説明する。
まず、一対の敷居支持治具、及び敷居本固定具の構成について説明する。
【００４９】
図２〜図５において、一方の敷居支持治具１０Ａは、建築床７Ａの低床部７ａに打ち込まれる取付金挿通ボルトとしてのアンカーボルト１１と、アンカーボルト１１が挿通される第１取付金１２Ａと、第１取付金１２Ａに螺合され、第１取付金１２Ａの傾きを調整を可能に第１取付金１２Ａを低床部７ａ上に支持する調整ボルトしてのジャッキボルト１９と、アンカーボルト１１に螺合され、ジャッキボルト１９と協働して第１取付金１２Ａを建築床７Ａに固定する押圧ナット２０と、第１取付金１２Ａに高さ位置を調整可能に取り付けられて敷居５Ａを支持する第２取付金１５と、第１取付金１２Ａと第２取付金１５とを連結する連結手段２５と、第２取付金１５に敷居５Ａを固定する固定手段２２と、を備える。
【００５０】
第１取付金１２Ａは、図６及び図７に示されるように、互いに直交する調整ボルト挿通片１３及び第１連結片１４ＡからなるＬ字に形成されている。調整ボルト挿通片１３には、奥行き調整用長穴としての長穴１３ａが、穴の長手方向（長軸方向）を第１連結片１４Ａに垂直な方向に一致させて形成されている。また、ねじ穴１３ｂが、調整ボルト挿通片１３の長穴１３ａの長手方向の両端近傍、かつ、幅方向（短軸方向）の両側に形成されている。
【００５１】
また、第１連結片１４Ａには、第１連結片１４Ａの先端に開口する高さ調整用長穴としての切り欠き凹穴１４ａが、溝方向を調整ボルト挿通片１３に垂直な方向に一致させて形成されている。以下、切り欠き凹穴１４ａの溝方向を切り欠き凹穴１４ａの穴の長手方向とする。このとき、切り欠き凹穴１４ａの先端側は、先端に向かって漸次幅広となるテーパ状に形成されている。
【００５２】
さらに、第１連結片１４Ａには、高さ調整用長穴としての長穴１４ｂが、穴の長手方向を調整ボルト挿通片１３に垂直な方向に一致させて形成されている。
また、第１連結片１４Ａを、調整ボルト挿通片１３が延出されない側の面から見たとき、長穴１４ｂは、切り欠き凹穴１４ａの幅方向に関して切り欠き凹穴１４ａの一側に形成されている。
【００５３】
第２取付金１５は、図６及び図７に示されるように、互いに直交する敷居支持片１６及び第２連結片１７からなるＬ字に形成されている。
敷居支持片１６には、その先端から第２連結片１７に向かう所定の範囲に至る部位に、所定幅の一対の切り欠き１６ａが互いに平行に形成されている。
【００５４】
また、それぞれ矩形形状の一対のボルト挿通穴１７ａが、その長手方向を敷居支持片１６に平行に、かつ、長手方向に所定の間隔をあけて第２連結片１７の先端側に形成されている。なお、ボルト挿通穴１７ａのそれぞれの長手方向の中心間の距離は、切り欠き凹穴１４ａ及び長穴１４ｂのそれぞれの幅方向の中心間の距離に一致している。
【００５５】
連結手段２５は、図３〜図５に示されるように、軸部の根元部が四角根に形成された連結ボルトとしての角根頭ボルト２６、及び角根頭ボルト２６に螺合される連結片締着ナット２７により構成される。
また、固定手段２２は、敷居取付ボルト２３及び敷居取付ナット２４により構成されている。
【００５６】
また、他方の敷居支持治具１０Ｂは、図４に示されるように、第１取付金１２Ａに代え第１取付金１２Ｂを有する他は敷居支持治具１０Ａと同様に構成されている。
図８に示されるように、第１取付金１２Ｂは、第１連結片１４Ｂを、調整ボルト挿通片１３が延出されない側の面から見たとき、長穴１４ｂが、切り欠き凹穴１４ａの幅方向に関して切り欠き凹穴１４ａの他側に配置されるように形成して構成されている。他の第１取付金１２Ｂの構成は、第１取付金１２Ａと同様である。
【００５７】
図９において、敷居本固定具３０は、底部３１Ａ、及び相対する側片３１Ｂ，３１Ｃを有するコ字状に形成された第１敷居固定金３１と、それぞれ、互いに直交する固定金連結片３２Ａ及び敷居支持片３２Ｂを有するＬ字に形成された一対の第２敷居固定金３２と、一対の本固定アンカーボルト３４と、２対のアンカー螺合ナット３５と、一対の敷居本固定ボルト３７と、一対の敷居本固定ボルト３７に螺合される一対の本固定ナット３８と、４つの固定金連結ボルト３９と、固定金連結ボルト３９に螺合される４つの固定金連結ナット４０と、を有する。
【００５８】
第１敷居固定金３１の底部３１Ａには、穴の長手方向を第１敷居固定金３１の長手方向（コ字の溝方向）とする長穴３１ａが、その長手方向に互いに離間して形成されている。
また、側片３１Ｂ，３１Ｃのそれぞれには、一対の貫通穴３１ｂが、第１敷居固定金３１の長手方向に離間して形成されている。
【００５９】
また、第２敷居固定金３２の固定金連結片３２Ａには、一対の貫通穴３２ａが、敷居支持片３２Ｂに垂直な方向に離間して形成され、敷居支持片３２Ｂには、所定幅を有する長穴３２ｂが、長手方向を固定金連結片３２Ａに垂直な方向に一致させて形成されている。
【００６０】
なお、側片３１Ｂ，３１Ｃの一対の貫通穴３１ｂの離間距離と、固定金連結片３２Ａの一対の貫通穴３２ａの離間距離は等しくなっている。そして、一対の貫通穴３１ｂに一対の貫通穴３２ａを対応させ、固定金連結片３２Ａが側片３１Ｂ，３１Ｃに沿うように第１敷居固定金３１及び第２敷居固定金３２を配置したときには、第２敷居固定金３２の敷居支持片３２Ｂ側が、第１敷居固定金３１の長手方向の一端から延出されるようになっている。
【００６１】
次いで、敷居支持治具１０Ａ，１０Ｂを用いて敷居５Ａを所望の設置位置に支持する作業について説明する。
図３〜図５において、まず、アンカーボルト１１を乗場開口３ａの間口方向の中心の一側に位置する低床部７ａの所定部位に打ち込む。
次いで、４つのジャッキボルト１９を第１取付金１２Ａの調整ボルト挿通片１３のねじ穴１３ｂのそれぞれに第１連結片１４Ａ側から螺合させ、ジャッキボルト１９の先端を調整ボルト挿通片１３から僅かに突出させる。
次いで、アンカーボルト１１に調整ボルト挿通片１３の長穴１３ａを嵌めて、低床部７ａ上に調整ボルト挿通片１３を位置させ、さらに、第１連結片１４Ａを、昇降路２側に向け、かつ、調整ボルト挿通片１３の上方に延在させて、第１取付金１２Ａを配置する。
これにより、ジャッキボルト１９の先端が低床部７ａの上面に当接される。次いで、押圧ナット２０を、アンカーボルト１１の先端側に螺合させる。
【００６２】
次いで、第１連結片１４Ａが調整ボルト挿通片１３から鉛直方向の上方に延在するように、ジャッキボルト１９のそれぞれの調整ボルト挿通片１３からの突出量を微調整する。なお、この作業は、調整ボルト挿通片１３に水平器（図示せず）を乗せ、調整ボルト挿通片１３が水平に延在するように、調整ボルト挿通片１３の水平度を見ながら行う。
【００６３】
また、敷居５Ａなどの乗場機器を設置するときには、乗場機器芯出し用の一対のピアノ線（図示せず）が、乗場開口３ａの近傍を通過するように鉛直方向に垂れ下げられ、一対のピアノ線の互いの離間方向が乗場開口３ａの間口方向の基準として用いられる。
このピアノ線を用いて、連結片１４Ａが一対のピアノ線の離間方向に平行に、つまり、乗場開口３ａの間口方向に平行になるように、連結片１４Ａの向きを調整する。
このようにして、一方の第１取付金１２Ａを低床部７ａ上に支持する。
【００６４】
同様にして、他方の第１取付金１２Ｂを、乗場開口３ａの間口方向の中心に対して一方の第１取付金１２Ａと対称となるように低床部７ａ上に支持する。これにより、第１連結片１４Ａ，１４Ｂの切り欠き凹穴１４ａと長穴１４ｂの穴の方向が鉛直方向に一致する。さらに、押圧ナット２０を締め込んで、第１取付金１２Ａ，１２Ｂを仮固定する。なお、仮固定とは、第１取付金１２Ａ，１２ｂに対し、長穴１３ａに沿って所定以上の力がかけたときに、第１取付金１２Ａ，１２Ｂを移動させることができるものをいう。また、一対の第１取付金１２Ａ，１２Ｂの高さ位置は、一致していなくてもよい。
【００６５】
次いで、図１０及び図１１に示されるように、敷居本固定ボルト３７、一対の敷居取付ボルト２３、及びもう一つの敷居本固定ボルト３７の順に、各ボルト２３，３７の頭部を敷居固定用穴５ｂの一端に嵌め、敷居取付ボルト２３、及び敷居本固定ボルト３７を順次スライド移動させて、敷居５Ａに取り付ける。
【００６６】
次いで、第２敷居固定金３２の敷居支持片３２Ｂの先端を第１敷居固定金３１の側片３１Ｂと逆側に向け、固定金連結片３２Ａの貫通穴３２ａに、第１敷居固定金の側片３１Ｂの貫通穴３１ｂに合わせる。次いで、固定金連結ボルト３９を貫通穴３２ａ，３１ｂに挿通して固定金連結ナット４０を固定金連結ボルト３９に螺合し、固定金連結片３２Ａを側片３１Ｂに締着固定する。
同様にして、もう一つの第２敷居固定金３２の固定金連結片３２Ａを第１敷居固定金３１の側片３１Ｃに締着固定する。
【００６７】
次いで、一方及び他方の敷居支持片３２Ｂの長穴３２ｂに一方及び他方の敷居本固定ボルト３７の軸部を挿通させる。
【００６８】
また、本固定ナット３８を敷居本固定ボルト３７のそれぞれに螺合し、敷居５Ａに第２敷居固定金３２を取り付ける。このとき、本固定ナット３８は、本締めせず、一体化された第１及び第２敷居固定金３１，３２を敷居固定用穴５ｂ、及び長穴３２ｂに沿ってスライド移動可能にしておく。
このように、一方の敷居本固定具３０の第１敷居固定金３１に固定された第２敷居固定金３２が敷居５Ａに取り付けられる。
詳細には図示しないが、同様にして、もう一つ（他方）の敷居本固定具３０の第１敷居固定金３１に第２敷居固定金３２を固定し、第１及び第２敷居固定金３１，３２を、一方の敷居本固定具３０の第１及び第２敷居固定金３１，３２に対して敷居５Ａの長手方向の他端側に位置するように敷居５Ａに取り付ける。
【００６９】
次いで、図３、及び図４に示されるように、第２連結片１７が敷居５Ａの敷居溝５ａの溝幅方向の一方の側面に相対し、敷居支持片１６が敷居５Ａの下面と相対するように、第２取付金１５を配置し、一方の敷居本固定具３０の一対の敷居支持片３２Ｂ間に配置された敷居取付ボルト２３に敷居支持片１６の切り欠き１６ａを嵌め合わせる。次いで、敷居取付ナット２４を敷居取付ボルト２３に螺合する。
【００７０】
以上により、一方の第２取付金１５が敷居５Ａに取り付けられる。このとき、敷居取付ナット２４は、本締めせず、第２取付金１５を敷居固定用穴５ｂに沿ってスライド移動可能にしておく。
【００７１】
次いで、一方の第２取付金１５と同様にして、他方の第２取付金１５を、他方の敷居本固定具３０の一対の敷居支持片３２Ｂ間に配置された敷居取付ボルト２３に対応する敷居５Ａの部位に取り付ける。このとき、一方及び他方の第２取付金１５の一対の切り欠き凹穴１４ａが、一対の長穴１４ｂの内側に配置されるように、他方の第２取付金１５が敷居５Ａに取り付けられる。
【００７２】
次いで、一対の第２連結片１７の４つのボルト挿通穴１７ａのうち、敷居５Ａの長手方向の内側に位置する２つに、角根頭ボルト２６を敷居支持片１６側から挿入し、さらに、連結片締着ナット２７を角根頭ボルト２６の先端側に螺合させておく。
【００７３】
さらに、一対の角根頭ボルト２６が、一対の第１連結片１４Ａ，１４Ｂの切り欠き凹穴１４ａに対応する位置に配置されるように、一対の第２取付金１５を第１及び第２敷居固定金３１，３２とともに敷居固定用穴５ｂに沿ってスライド移動させる。
【００７４】
さらに、敷居支持片１６を第１連結片１４Ａ，１４Ｂと逆側に向けて、第２連結片１７を第１連結片１４Ａ，１４Ｂに相対させ、一対の角根頭ボルト２６の軸部を、一対の切り欠き凹穴１４ａに上方から挿入する。言い換えれば、ボルト挿通穴１７ａを切り欠き凹穴１４ａ及び長穴１４ｂに対応させて、第２連結片１７が第１連結片１４Ａ，１４Ｂのそれぞれに相対するように第２取付金１５を配置し、角根頭ボルト２６が、切り欠き凹穴１４ａとボルト挿通穴１７ａに挿通された状態にする。これにより、第２連結片１７が第１連結片１４Ａ，１４Ｂに、切り欠き凹穴１４ａ及び長穴１４ｂの長さ方向に移動可能に取り付けられる。
次いで、連結片締着ナット２７を締め、一対の第２取付金１５のそれぞれと一対の第１取付金１２Ａ，１２Ｂのそれぞれとの間を仮固定する。このとき、角根頭ボルト２６が挿通されていないボルト挿通穴１７ａは、長穴１４ｂと相対する。
【００７５】
ここでいう仮固定とは、第２取付金１５及び敷居５Ａの重力によって、第２取付金１５が第１取付金１２Ａ，１２Ｂに対して移動することはないが、第２取付金１５または敷居５Ａに対し、切り欠き凹穴１４ａの長手方向に所定以上の力を働かせたときには、第２取付金１５及び敷居５Ａを切り欠き凹穴１４ａに沿った方向、言い換えれば高さ方向に移動させることができるものをいう。
【００７６】
なお、遊びが、一対の第１取付金１２Ａ，１２Ｂの切り欠き凹穴１４ａと角根頭ボルト２６の間にあるので、一対の角根頭ボルト２６の高さ位置がずれ、敷居５Ａの長手方向が水平面に対して若干傾く。そこで、敷居５Ａの上面に水平器（図示せず）を載置し、一方または他方の第２取付金１５を、敷居５Ａの傾きを解消する方向に切り欠き凹穴１４ａに沿ってずらし、敷居５Ａの上面を水平にする。
【００７７】
さらに、敷居取付ボルト２３の軸部が、切り欠き１６ａの底部に当接するまで、敷居５Ａを第２連結片１７側に押しこんで敷居取付ナット２４を締め込み、敷居５Ａを敷居支持片１６に固定する。
【００７８】
ここで、アンカーボルト１１の奥行方向の打ち込み位置は、所望する敷居５Ａの奥行方向の設置位置に対して、敷居５Ａからおおよそ所定距離離れた低床部７ａの部位に打ち込まれている。そして、長穴１３ａの長手方向の中間部にアンカーボルト１１を嵌め合わせて固定した第１取付金１２Ａ，１２Ｂに対し、第２取付金１５を連結したときに、敷居５Ａが所望する設置位置の周辺に配置されるようになっている。ここでは、長穴１３ａの穴方向が、奥行き方向に一致するので、長穴１３ａの長さ方向の範囲内で、第１取付金１２Ａを奥行き方向にずらすことができる。
【００７９】
遊びが、長穴１３ａとアンカーボルト１１との間にあるので、例えば、一対の第１取付金１２Ａ，１２Ｂに交互に奥行き方向に向かって力を加え、第１取付金１２Ａ，１２Ｂの奥行き方向の位置を少しずつ移動させれば、敷居５Ａの奥行方向の設置位置を調整することができる。また、アンカーボルト１１まわりの敷居５Ａの微調整も行える。そして、敷居５Ａが、所望する奥行き方向の設置位置で乗場開口３ａの間口方向に平行に配置されるように、第１取付金１２Ａ，１２Ｂの奥行方向の位置、及びアンカーボルト１１まわりの位置を調整する。
なお、第１取付金１２Ａ，１２Ｂの移動により、敷居５Ａの上面が水平から傾いた場合、再度ジャッキボルト１９の第１取付金１２Ａ，１２Ｂからの突出量を微調整して敷居５Ａの上面を水平にする。
【００８０】
次いで、押圧ナット２０を締め込み、押圧ナット２０とジャッキボルト１９とで第１取付金１２Ａ，１２Ｂを固定する。さらに、敷居取付ナット２４を緩め、敷居５Ａの間口方向の位置を所望の位置に調整し、再度、敷居取付ナット２４を締め込んで、第２取付金１５と敷居５Ａとの間を固定する。
【００８１】
次いで、敷居５Ａの上面が、床仕上げ面と同じ高さ位置で、水平に配置されるように、第２取付金１５の位置を調整する。前述したように、遊びが、一対の第１取付金１２Ａ，１２Ｂの切り欠き凹穴１４ａと角根頭ボルト２６の間にある。そこで、例えば、一対の第１取付金１２Ａ，１２Ｂに対して交互に高さ方向に力を加え、一対の第１取付金１２Ａ，１２Ｂの高さ位置を交互に少しずつ移動させて敷居５Ａの上面を床仕上げ面と同じ高さ位置を調整する。次いで、連結片締着ナット２７を締め込んで、第１連結片１４Ａ，１４Ｂ及び第２連結片１７との間を強固に固定する。
【００８２】
さらに、長穴１４ｂ及び長穴１４ｂに相対するボルト挿通穴１７ａに角根頭ボルト２６をボルト挿通穴１７ａ側から挿通させて、連結片締着ナット２７を角根頭ボルト２６に締め込んで、第１連結片１４Ａ，１４Ｂ及び第２連結片１７との間をさらに固定する。
以上により、敷居５Ａが、所望の設置位置に支持される。
【００８３】
さらに、一対の敷居本固定具３０の第１及び第２敷居固定金３１，３２を、第１敷居固定金３１の底部３１Ａが建築壁９に押しあてられるまで長穴３２ｂの長手方向にスライド移動させる。次いで、底部３１Ａの各長穴３１ａを介して本固定アンカーボルト３４の打ち込み用の穴を建築壁９にあける。そして、本固定アンカーボルト３４を、奥行き方向に軸方向が一致するように各第１敷居固定金３１の底部３１Ａに形成された長穴３１ａに挿通させて建築壁９に形成した穴に固定する。
【００８４】
次いで、各本固定アンカーボルト３４にアンカー螺合ナット３５を螺合し、底部３１Ａを建築壁９に締着固定する。さらに、本固定ナット３８を締め、敷居５Ａを敷居支持片３２Ｂに固定する。これにより、敷居５Ａが、一対の敷居本固定具３０を介して建築壁９に固定される。
【００８５】
次いで、アンカーボルト１１、第１取付金１２Ａ，１２Ｂ、及び第２取付金１５を取り外す。第２取付金１５を取り外すのに一旦取り外した敷居取付ナット２４は、第２取付金１５を取り外した後、再度敷居取付ボルト２３に締め着つけておく。
以上により、敷居５Ａの設置作業が終了する。
次いで、図示しないモルタルと床仕上げ材で建築床７Ａを覆うことで、乗場３の床が構成される。
【００８６】
次いで、床仕上げ面との間の距離の小さい乗場の建築床に一対の敷居支持治具１０Ａ，１０Ｂを設けて敷居５Ａを設置する場合について説明する。
図１２はこの発明の一実施の形態に係る敷居支持治具を用いた敷居の他の設置例を説明する断面図である。
なお、図１２において、図１〜図１１、及び図１６と同一または相当部分には同一符号を付し、その説明は省略する。また、図１２では、説明の便宜上、敷居本固定具の図示を省略している。
図１２において、建築床７Ｂに設置した一対の敷居支持治具１０Ａ，１０Ｂを用いて敷居５Ａを設置する方法は、建築床７Ａに設置した一対の敷居支持治具１０Ａ，１０Ｂを用いて敷居５Ａを設置する方法と同様である。
【００８７】
敷居５Ａの上面の高さ位置を調整する際、敷居５Ａの上面の高さ位置は、ボルト挿通穴１７ａと、切り欠き凹穴１４ａまたは長穴１４ｂに挿通した角根頭ボルト２６の軸部を、切り欠き凹穴１４ａ及び長穴１４ｂの下端に配置させたときに、最も低くなる。
【００８８】
切り欠き凹穴１４ａ及び長穴１４ｂの下端に、角根頭ボルト２６の軸部を配置させたときの敷居支持片１６の上面の高さ位置に、敷居５Ａ上下方向の厚さを加えた高さが、床仕上げ面により高くならないように、ボルト挿通穴１７ａと敷居支持片１６との間の距離を設定しておけば、敷居５Ａを、敷居支持片１６の上部に支持させたまま所望の設置位置に配置させることができる。
【００８９】
この実施の形態の敷居支持治具１０Ａ，１０Ｂは、建築床７Ａ，７Ｂに垂直方向に軸方向を一致させて打ち込まれるアンカーボルト１１と、調整ボルト挿通片１３及び第１連結片１４Ａ，１４ＢからなるＬ字状をなし、長穴１３ａが、穴の長手方向を第１連結片１４Ａ，１４Ｂに垂直な方向に一致させて調整ボルト挿通片１３に形成されており、切り欠き凹穴１４ａ及び長穴１４ｂが、穴の長手方向を調整ボルト挿通片１３に垂直な方向に一致させて第１連結片１４Ａ，１４Ｂに形成され、建築床７Ａ，７Ｂに打ち込まれたアンカーボルト１１に長穴１３ａを嵌めて、調整ボルト挿通片１３を建築床７Ａ，７Ｂ上に位置させ、第１連結片１４Ａ，１４Ｂを昇降路２側に向けて調整ボルト挿通片１３の上方に延在させて配置される第１取付金１２Ａ，１２Ｂと、それぞれ、調整ボルト挿通片１３からの突出量を調整可能に調整ボルト挿通片１３に螺合され、建築床７Ａ，７Ｂ上に配置された調整ボルト挿通片１３の傾きを調整する複数のジャッキボルト１９と、アンカーボルト１１に螺合されて、ジャッキボルト１９と協働して調整ボルト挿通片１３を建築床７Ａ，７Ｂに固定する押圧ナット２０と、敷居支持片１６及びボルト挿通穴１７ａが形成された第２連結片１７からなるＬ字状をなし、第２連結片１７が、ボルト挿通穴１７ａを切り欠き凹穴１４ａ及び長穴１４ｂに対応させて第１連結片１４Ａ，１４Ｂに相対するように、かつ、敷居支持片１６を第１連結片１４Ａ，１４Ｂと逆側に向けて配置されて切り欠き凹穴１４ａ及び長穴１４ｂの長さ方向に移動可能に第１連結片１４Ａ，１４Ｂに取り付けられ、敷居５Ａを敷居支持片１６に支持する第２取付金１５と、ボルト挿通穴１７ａと切り欠き凹穴１４ａ（長穴１４ｂ）に挿通される角根頭ボルト２６、及び角根頭ボルト２６に螺合され、第１連結片１４Ａに第２連結片１７を締着固定する連結片締着ナット２７と、敷居支持片１６に敷居５Ａを固定する固定手段２２と、を備えている。
【００９０】
敷居支持治具１０Ａ，１０Ｂによれば、昇降路２側に向けられ、調整ボルト挿通片１３の上方に延在する第１連結片１４Ａ，１４Ｂに対し、切り欠き凹穴１４ａ及び長穴１４ｂの長手方向に、言い換えれば、高さ方向に移動可能に、第２取付金１５が取り付けられている。これにより、ジャッキボルト１０Ａ，１０Ｂは、敷居５Ａの上面の水平出し、言い換えれば、調整ボルト挿通片１３の傾き調整を行うために用い、敷居５Ａの高さ位置の調整は、ジャッキボルト１０Ａ，１０Ｂを用いずに、第２取付金１５を第１連結片１４Ａ，１４Ｂの切り欠き凹穴１４ａ及び長穴１４ｂの長手方向に移動するだけで行うことができる。
【００９１】
また、長穴１３ａの長手方向に第１取付金１２Ａ，１２Ｂをずらせば、敷居５Ａの奥行方向の位置を簡単に調整でき、また、角根頭ボルト２６の切り欠き凹穴１４ａ及び長穴１４ｂへの挿通位置は、切り欠き凹穴１４ａ及び長穴１４ｂの長手方向の所望の位置に設定可能であり、敷居５Ａの高さ位置を簡単に調整できる。
従って、敷居の高さ位置と水平出しの両方の調整をジャッキボルトにより行っていた従来に比べて、敷居支持治具１０Ａ，１０Ｂを用いて敷居５Ａを所望の設置位置に支持させるときの作業効率が格段に向上し、短時間に敷居を所望の設置位置に支持することができる。
【００９２】
ここで、床仕上げ面との間の距離の小さい乗場３の建築床７Ｂに設置した従来の第２敷居支持治具５０Ｂを用いて敷居５Ｂを所望の設置位置に支持する場合には、上述したように敷居５Ｂの意匠面に敷居取付穴５ｃを形成しなければならず、敷居５Ｂの意匠性が損なわれるという問題もあった。
【００９３】
これに対し、建築床７Ｂに設置した敷居支持治具１０Ａ，１０Ｂを用いて敷居５Ａを所望の設置位置に支持する場合、上述したように、敷居支持片１６の上部に敷居５Ａを乗せたまま、敷居５Ａの上面の高さ位置を床仕上げ面の高さ位置に一致させることができる。これにより、敷居５Ｂの意匠面に敷居５Ａを第２取付金１５に固定するための穴などを形成する必要がなくなり、敷居５Ａの意匠性が損なわれることを回避できる。
また、従来は、建築床７Ａの低床部７ａ及び建築床７Ｂに対して、敷居５Ａ，５Ｂを支持するのに、別構成の第１及び第２の従来の敷居支持治具５０Ａ，５０Ｂを用意する必要があった。一方、敷居支持治具１０Ａ，１０Ｂは、建築床７Ａの低床部７ａ及び建築床７Ｂに対して共通に用いても、敷居５Ａを所望の設置位置に支持させることができる。
【００９４】
また、敷居支持治具１０Ａ，１０Ｂを用いたエレベータの敷居の設置方法によれば、ジャッキボルト１９は、調整ボルト挿通片１３の傾きを調整する工程に用い、敷居５Ａ，５Ｂの高さ位置の調整は、ジャッキボルト１９を用いずに、第２取付金１５を第１連結片１４Ａ，１４Ｂの切り欠き凹穴１４ａ及び長穴１４ｂの方向に移動するだけで行っている。従って、敷居支持治具１０Ａ，１０Ｂを用いて敷居５Ａを所定位置に支持させるときの作業効率を格段に向上し、短時間に敷居を所望の設置位置に支持することができる。
【００９５】
なお、上記実施の形態では、第１取付金１２Ａ，１２Ｂのそれぞれの第１連結片１４Ａ，１４Ｂに、切り欠き凹穴１４ａ、及び長穴１４ｂを形成するものとして説明したが、切り欠き凹穴１４ａ、及び長穴１４ｂの一方は省略されていてもよい。
また、敷居５Ａ，５Ｂに敷居支持片１６を取り付けた後、第１取付金１２Ａ，１２Ｂに第２取付金１５固定することで、敷居５Ａが敷居支持片１６に支持されるものとして説明したが、第２取付金１５を第１取付金１２Ａ，１２Ｂに取り付けた後に敷居支持片１６に敷居５Ａ，５Ｂを支持させてもよい。
【００９６】
また、第１連結片１４Ａ，１４Ｂの切り欠き凹穴１４ａは、長穴であってもよく、また、長穴１４ｂは、切り欠き凹穴であってもよい。但し、切り欠き凹穴を形成しておくことで、予め、ボルト挿通穴１７ａに挿通させて取り付けておいた角根頭ボルト２６の軸部を、切り欠き凹穴１４ａに挿入できるので、敷居５Ａを支持する第２取付金１５を第１取付金１２Ａ，１２Ｂに取り付ける作業を容易に行うことができる。さらに、予め、角根頭ボルト２６を第２連結片１７に挿通させ、連結片締着ナット２７を角根頭ボルト２６に螺合した状態で、角根頭ボルト２６の軸部を切り欠き凹穴１４ａに挿通させた状態とすることができるので、連結片締着ナット２７などを昇降路２に落下させるリスクを低減できる。
【００９７】
また、敷居５Ａの上面の高さを床仕上げ面の高さに一致させる工程では、一対の第１取付金１２Ａ，１２Ｂに対して交互に高さ方向に力を加え、一対の第１取付金１２Ａ，１２Ｂの高さ位置を交互に少しずつ移動させて敷居５Ａの上面を床仕上げ面と同じ高さにするものとして説明したが。例えば、複数の作業員により敷居５Ａの長手方向の離間する部位を支持して連結片締着ナット２７を緩め、敷居５Ａの上面の高さを床仕上げ面の高さに一致させた後に、再度連結片締着ナット２７を固定しても良い。
【００９８】
また、第１取付金１２Ａ，１２Ｂは、互いに直交する調整ボルト挿通片１３及び第１連結片１４Ａ，１４Ｂからなり、長穴１３ａの穴の長手方向が、第１連結片１４Ａ，１４Ｂに垂直な方向に一致し、切り欠き凹穴１４ａ及び長穴１４ｂの長手方向が、調整ボルト挿通片１３に垂直な方向に一致するのとして説明した。しかし、第１取付金は、Ｌ字状に形成されていれば、調整ボルト挿通片及び第１連結片が直交していなくてもよく、また、長穴の長手方向は、調整ボルト挿通片の先端から第１連結片に向かう方向に一致し、切り欠き凹穴１４ａ及び長穴１４ｂの長手方向は、第１連結片１４Ａ，１４Ｂの先端から調整ボルト挿通片１３に向かう方向に一致していればよい。
【００９９】
また、第２取付金１５は、互いに直交する敷居支持片１６及び第２連結片１７からなるものとして説明したが、第２取付金は、Ｌ字状に形成されていれば、敷居支持片及び第２連結片が直交している必要はない。この場合、第１連結片に第２連結片を固定した後、敷居の上面を水平にする工程においては、敷居の上面を水平にする方向に、調整ボルト挿通片の傾きを水平面に対して傾ければよい。
【符号の説明】
【０１００】
３  乗場、３ａ  乗場開口、５Ａ，５Ｂ  敷居、７Ａ，７Ｂ  建築床、１０Ａ，１０Ｂ  エレベータの敷居支持治具、１１  アンカーボルト（取付金挿通ボルト）、１２Ａ，１２Ｂ  第１取付金、１３  調整ボルト挿通片、１３ａ  長穴  （奥行き調整用長穴）、１４Ａ，１４Ｂ  第１連結片、１４ａ  切り欠き凹穴（高さ調整用長穴）、１４ｂ  長穴（高さ調整用長穴）、１５  第２取付金、１６  敷居支持片、１７  第２連結片、１７ａ  ボルト挿通穴、１９  ジャッキボルト（調整ボルト）、２０  押圧ナット、２２  固定手段、２６  角根頭ボルト（連結ボルト）、２７  連結片締着ナット。
【図１】
2011105486.tif 000003
【図２】
2011105486.tif 000004
【図３】
2011105486.tif 000005
【図４】
2011105486.tif 000006
【図５】
2011105486.tif 000007
【図６】
2011105486.tif 000008
【図７】
2011105486.tif 000009
【図８】
2011105486.tif 000010
【図９】
2011105486.tif 000011
【図１０】
2011105486.tif 000012
【図１１】
2011105486.tif 000013
【図１２】
2011105486.tif 000014
【図１３】
2011105486.tif 000015
【図１４】
2011105486.tif 000016
【図１５】
2011105486.tif 000017
【図１６】
2011105486.tif 000018
【図１７】
2011105486.tif 000019